(57)【要約】  波長多重光信号が複数の周波数グリッドが混在している光信号から成る場合であっても、利得に影響を与える入力レベルの変化を高精度に把握し、ダミー光の挿入の要否を判定できる光信号監視装置を提供するため、本発明の光信号監視装置は、ダミー光の平均グリッドに応じて設定された帯域幅ｎのＮ個の判定エリアｉ（ｉ＝１〜Ｎ）ごとに設定された閾値ｉを保持する記憶手段、波長多重光信号を構成する監視対象の光信号のグリッド幅よりも十分小さな帯域幅ｍで判定エリアｉをＭ（ここで、Ｍ＝ｎ／ｍ）分割した計測エリア１−Ｍごとに、入力された波長多重光信号の光強度を順次計測し、Ｍ×Ｎ個の計測値を出力する計測手段、および、判定エリアｉごとにダミー光の挿入の要否を判定する判定手段を備える。
2016139933.tif 000002
【特許請求の範囲】
【請求項１】
ダミー光の平均グリッドに応じて設定された帯域幅ｎのＮ個の判定エリアｉ（ｉ＝１〜Ｎ）ごとに設定された閾値ｉ（ｉ＝１〜Ｎ）を保持する記憶手段と、
波長多重光信号を構成する監視対象の光信号のグリッド幅よりも十分小さな帯域幅ｍで前記判定エリアｉをＭ（ここで、Ｍ＝ｎ／ｍ）分割した計測エリア１−Ｍごとに、入力された波長多重光信号の光強度を順次計測し、Ｍ×Ｎ個の計測値を出力する計測手段と、
前記判定エリアｉ内のＭ個の計測値が全て閾値ｉよりも小さい場合、判定エリアｉに対応するダミー光の挿入が必要であると判定し、判定エリアｉ内のＭ個の計測値のうち１個以上が閾値ｉ以上である場合、判定エリアｉに対応するダミー光の挿入が不要であると判定する判定手段と、
を備える光信号監視装置。
【請求項２】
前記帯域幅ｍは、監視対象の光信号のグリッド幅の１／３以下である、請求項１に記載の光信号監視装置。
【請求項３】
複数のグリッドを含む互いに異なる波長の光信号を出力する複数の光出力手段と、
前記複数の光出力手段から出力された光信号を波長多重して波長多重光信号を出力する波長多重手段と、
前記出力された波長多重光信号を２分岐して出力する光分岐手段と、
分岐された一方の波長多重光信号が入力し、該波長多重光信号の光強度に基づいて、対応する判定エリアｉへのダミー光の挿入の要否を判定する請求項１または２記載の光信号監視装置と、
前記判定に基づいて、判定エリアｉに対応するダミー光を出力するダミー光源と、
分岐された他方の波長多重光信号と出力されたダミー光とを合波して送信信号を出力する光合波手段と、
を備える光波長多重伝送装置。
【請求項４】
判定エリアｉに対応する前記ダミー光と前記光信号とは、同等の光強度を有する、請求項３に記載の光波長多重伝送装置。
【請求項５】
前記ダミー光源は、
入力された自然放出光の振幅を増幅するアンプと、
前記増幅された自然放出光を判定エリアｉに対応する帯域ごとに分波してＮ個の線路へ出力する光分波器と、
前記Ｎ個の線路からの出力を制御する制御スイッチと、
を備える、請求項３または４に記載の光波長多重伝送装置。
【請求項６】
ダミー光の平均グリッドに応じて設定された帯域幅ｎのＮ個の判定エリアｉ（ｉ＝１〜Ｎ）ごとに設定された閾値ｉ（ｉ＝１〜Ｎ）を用いる光信号監視方法であって、
波長多重光信号を構成する監視対象の光信号のグリッド幅よりも十分小さな帯域幅ｍで前記判定エリアｉをＭ（ここで、Ｍ＝ｎ／ｍ）分割した計測エリア１−Ｍごとに、入力された波長多重光信号の光強度を順次計測し、Ｍ×Ｎ個の計測値を出力し、
前記判定エリアｉ内のＭ個の計測値が全て閾値ｉよりも小さい場合、判定エリアｉに対応するダミー光の挿入が必要であると判定し、判定エリアｉ内のＭ個の計測値のうち１個以上が閾値ｉ以上である場合、判定エリアｉに対応するダミー光の挿入が不要であると判定する、
光信号監視方法。
【発明の詳細な説明】
【技術分野】
【０００１】
本発明は、光信号監視装置、光波長多重伝送装置および光信号監視方法に関し、特に、複数の周波数グリッドが混在している光信号から成る波長多重光信号を扱う光信号監視装置、光波長多重伝送装置および光信号監視方法に関する。
【背景技術】
【０００２】
近年、インターネット等の普及により、動画などの大容量コンテンツを扱うサービスが急速に拡大している。そのため、バックボーンネットワークにおける大容量化の要求が高まり、有限な光スペクトル領域をより効率的に活用することが重要となっている。光スペクトル領域を効率的に活用する技術の一つに、波長分割多重通信（ＷＤＭ：Ｗａｖｅｌｅｎｇｔｈ  Ｄｉｖｉｓｉｏｎ  Ｍｕｌｔｉｐｌｅｘ）方式がある。このＷＤＭ方式は、中心波長が互いに異なる複数の信号光を合成し、光増幅器において所望のレベルまで増幅した後、光ファイバ伝送路へ出力する。【０００３】
ここで、一般的に、光増幅器は利得に対して波長依存性を有し、特に、光信号の入力レベルが減少するとその波長依存性が顕著に現れる。この場合、光信号の出力レベルが波長依存性を持つようになる。そこで、特許文献１には、補正光源を配置し、ＷＤＭ信号を構成ずる光信号の数が減った場合に、代わりに補正光をＷＤＭ信号に挿入することで、光増幅器の利得を一定に維持する技術が開示されている。光信号の数が減った場合に、補正光を挿入しない時の出力レベルの一例を図１１Ａに、補正光を挿入した時の出力レベルの一例を図１１Ｂに示す。【０００４】
図１１Ａ、１１Ｂにおいて、波長λ3〜λ7の光信号が消失した場合、補正光を挿入しない場合は光増幅器の利得の波長依存性が顕著に現れ、主信号光であるλ1、λ2、λ8の出力レベルが波長依存性を持つようになる。これに対して、消失した波長λ3〜λ7の信号光に対応する補正光λａ〜λｅを挿入することで、光増幅器の利得を平坦化でき、主信号光であるλ1、λ2、λ8の出力レベルが利得の影響を受けなくなる。
【先行技術文献】
【特許文献】
【０００５】
【特許文献１】特開２００７−１２７６７号公報
【発明の概要】
【発明が解決しようとする課題】
【０００６】
しかし、さらなる光スペクトル領域の有効利用のために、伝送技術（伝送速度、変調方式等）に合わせて光信号の周波数グリッドを最適化することが提案されている。特許文献１の技術は、ＷＤＭ信号が複数の周波数グリッドが混在している光信号から成る場合を想定しておらず、周波数グリッドがそれぞれ異なる複数の光信号が消失した場合には対応できない。【０００７】
本発明は上記の課題に鑑みてなされたものであり、波長多重光信号が複数の周波数グリッドが混在している光信号から成る場合であっても、利得に影響を与える入力レベルの変化を高精度に把握してダミー光の挿入の要否を判定できる、光信号監視装置、光波長多重伝送装置および光信号監視方法を提供することを目的とする。
【課題を解決するための手段】
【０００８】
上記目的を達成するために本発明に係る光信号監視装置は、ダミー光の平均グリッドに応じて設定された帯域幅ｎのＮ個の判定エリアｉ（ｉ＝１〜Ｎ）ごとに設定された閾値ｉ（ｉ＝１〜Ｎ）を保持する記憶手段と、波長多重光信号を構成する監視対象の光信号のグリッド幅よりも十分小さな帯域幅ｍで前記判定エリアｉをＭ（ここで、Ｍ＝ｎ／ｍ）分割した計測エリア１−Ｍごとに、入力された波長多重光信号の光強度を順次計測し、Ｍ×Ｎ個の計測値を出力する計測手段と、前記判定エリアｉ内のＭ個の計測値が全て閾値ｉよりも小さい場合、判定エリアｉに対応するダミー光の挿入が必要であると判定し、判定エリアｉ内のＭ個の計測値のうち１個以上が閾値ｉ以上である場合、判定エリアｉに対応するダミー光の挿入が不要であると判定する判定手段と、を備える。【０００９】
上記目的を達成するために本発明に係る光波長多重伝送装置は、複数のグリッドを含む互いに異なる波長の光信号を出力する複数の光出力手段と、前記複数の光出力手段から出力された光信号を波長多重して波長多重光信号を出力する波長多重手段と、前記出力された波長多重光信号を２分岐して出力する光分岐手段と、分岐された一方の波長多重光信号が入力し、該波長多重光信号の光強度に基づいて、対応する判定エリアｉへのダミー光の挿入の要否を判定する上記の光信号監視装置と、前記判定に基づいて、判定エリアｉに対応するダミー光を出力するダミー光源と、分岐された他方の波長多重光信号と出力されたダミー光とを合波して送信信号を出力する光合波手段と、を備える。【００１０】
上記目的を達成するために本発明に係る光信号監視方法は、ダミー光の平均グリッドに応じて設定された帯域幅ｎのＮ個の判定エリアｉ（ｉ＝１〜Ｎ）ごとに設定された閾値ｉ（ｉ＝１〜Ｎ）を用いる光信号監視方法であって、波長多重光信号を構成する監視対象の光信号のグリッド幅よりも十分小さな帯域幅ｍで前記判定エリアｉをＭ（ここで、Ｍ＝ｎ／ｍ）分割した計測エリア１−Ｍごとに、入力された波長多重光信号の光強度を順次計測し、Ｍ×Ｎ個の計測値を出力し、前記判定エリアｉ内のＭ個の計測値が全て閾値ｉよりも小さい場合、判定エリアｉに対応するダミー光の挿入が必要であると判定し、判定エリアｉ内のＭ個の計測値のうち１個以上が閾値ｉ以上である場合、判定エリアｉに対応するダミー光の挿入が不要であると判定する。
【発明の効果】
【００１１】
上述した本発明の態様によれば、波長多重光信号が複数の周波数グリッドが混在している光信号から成る場合であっても、利得に影響を与える入力レベルの変化を高精度に把握し、ダミー光の挿入の要否を判定できる。
【図面の簡単な説明】
【００１２】
【図１Ａ】第１の実施形態に係る光信号監視装置１０のブロック構成図である。
【図１Ｂ】第１の実施形態に係る光信号監視装置１０の動作を説明するための図である。
【図２】第２の実施形態に係る波長多重伝送装置１００のブロック構成図である。
【図３】第２の実施形態に係るトランスミッター２１０−２６０から出力される光信号の一例である。
【図４】第２の実施形態に係るＯＣＭ５００の測定ステップの一例である。
【図５】第２の実施形態に係るＣＰＵ６００が設定したエリア１−１１および閾値１−１１の一例である。
【図６】第２の実施形態に係るダミー光源７００の回路構成図である。
【図７】第２の実施形態に係るダミー光源７００から出力されるダミー光のパワースペクトルの一例である。
【図８】第２の実施形態に係る波長多重伝送装置１００の動作フローである。
【図９】第２の実施形態に係る光カプラ８００から出力される送信信号のパワースペクトルの一例である。
【図１０】第２の実施形態に係るダミー光源７００から出力されるダミー光のパワースペクトルの一例である。
【図１１Ａ】特許文献１において、波長λ3〜λ7の光信号が消失した場合に、補正光を挿入しない時の出力レベルを示す図である。
【図１１Ｂ】特許文献１において、波長λ3〜λ7の光信号が消失した場合に、補正光を挿入した時の出力レベルを示す図である。
【発明を実施するための形態】
【００１３】
以下、本発明の実施形態について図面を用いて詳細に説明する。なお、図面中の矢印の向きは、一例を示すものであり、ブロック間の信号の向きを限定するものではない。
＜第１の実施形態＞
本発明の第１の実施形態について説明する。本実施形態に係る光信号監視装置のブロック構成図を図１Ａに示す、図１Ａにおいて、光信号監視装置１０は、記憶手段２０、計測手段３０および判定手段４０を備える。
【００１４】
記憶手段２０は、ダミー光の平均グリッドに応じて設定された帯域幅ｎのＮ個の判定エリアｉ（ｉ＝１〜Ｎ）ごとに設定された閾値ｉ（ｉ＝１〜Ｎ）を保持する。ここで、判定エリア１〜Ｎは、図１Ｂに示すように、光信号監視装置１０が監視する光信号の使用帯域ＢＬを、光信号が消失した時に挿入されるダミー光の平均グリッド（例えば、５０ＧＨｚ）に対応する帯域幅ｎ（例えば、５０ＧＨｚ）ごとにＮ分割したものである。
【００１５】
計測手段３０は、判定エリアｉの帯域幅ｎを、監視対象の光信号のグリッド幅よりも十分小さな帯域幅ｍごとにＭ分割し（ここで、ｍ＝ｎ／Ｍ）、Ｍ個の計測エリア１−Ｍを設定する。すなわち、計測エリア１−Ｍは、図１Ｂに示すように、判定エリアｉの帯域幅ｎ（例えば、５０ＧＨｚ）を監視対象の光信号のグリッド幅の１／３以下の帯域幅ｍ（例えば、５ＧＨｚ）でＭ分割したものである。そして、計測手段３０は、全ての判定エリア１−Ｎの計測エリア１−Ｍについて、入力された波長多重光信号（監視対象の光信号が波長多重された信号）の光強度を順次計測し、Ｍ×Ｎ個の計測値を出力する。
【００１６】
判定手段４０は、判定エリアｉ内のＭ個の計測値が全て閾値ｉよりも小さい場合、判定エリアｉに対応するダミー光の挿入が必要であると判定する。一方、判定手段４０は、判定エリアｉ内のＭ個の計測値のうち１個以上が閾値ｉ以上である場合、判定エリアｉに対応するダミー光の挿入が不要であると判定する。
【００１７】
上記のように、本実施形態に係る光信号監視装置１０は、ダミー光の平均グリッドに応じた判定エリア１〜Ｎを設定し、該判定エリア内を監視対象の光信号のグリッド幅に応じて細分化した計測エリア１−Ｍごとに、波長多重光信号の光強度を判定する。この場合、波長多重光信号が複数の周波数グリッドが混在している光信号から成る場合であっても、利得に影響を与える入力レベルの変化を高精度に把握し、ダミー光の挿入の要否を的確に判断できる。
【００１８】
＜第２の実施形態＞
第２の実施形態について説明する。本実施形態に係る波長多重伝送装置のブロック構成図を図２に示す。図２において、波長多重伝送装置１００は、６台のトランスミッター２１０−２６０、光波長多重部３００、光スプリッタ４００、光チャンネルモニタ（ＯＣＭ：Ｏｐｔｉｃａｌ  Ｃｈａｎｎｅｌ  Ｍｏｎｉｔｏｒ）５００、ＣＰＵ６００、ダミー光源７００および光カプラ８００から成る。
【００１９】
トランスミッター２１０−２６０はそれぞれ、光信号使用帯域１９３．５２５ＴＨｚ〜１９２．９７５ＴＨｚ内の互いに異なる中心周波数の所定帯域幅の光信号を生成する。例えば、トランスミッター２１０−２６０は、中心周波数がそれぞれ、１９３．５００、１９３．４５０、１９３．４００、１９３．３６２５、１９３．３００、１９３．２７５ＴＨｚの、５０ＧＨｚ帯域幅の光信号を生成する。トランスミッター２１０−２６０から出力される光信号の一例を図３に示す。そして、図３に示すように、トランスミッター２１０、２２０は５０ＧＨｚグリッドの光信号を、トランスミッター２３０、２４０は３７．５ＧＨｚグリッドの光信号を、トランスミッター２５０、２６０は２５ＧＨｚグリッドの光信号を生成する。
【００２０】
光波長多重部３００は、トランスミッター２１０−２６０からそれぞれ出力された光信号を波長多重し、ＷＤＭ信号を出力する。上述のように、光波長多重部３００から出力されたＷＤＭ信号には、異なる周波数グリッドが混在している。ここで、光波長多重部３００として、ＡＷＧ（Ａｒｒａｙｅｄ  Ｗａｖｅｇｕｉｄｅ  Ｇｒａｔｉｎｇ）モジュール、光カプラ、インタリーバ、ＷＳＳ（Ｗａｖｅｌｅｎｇｔｈ  Ｓｅｌｅｃｔｉｖｅ  Ｓｗｉｔｃｈ）、もしくはこれらを複合したデバイス構成を適用することができる。
【００２１】
光スプリッタ４００は、光波長多重部３００から出力されたＷＤＭ信号を分岐して、一方のＷＤＭ信号を光カプラ８００へ、他方のＷＤＭ信号をＯＣＭ５００へ出力する。ここで、本実施形態に係る光スプリッタ４００は、ＷＤＭ信号を９対１程度の分岐比で分岐し、前者を光カプラ８００へ、後者をＯＣＭ５００へ出力する。
【００２２】
ＯＣＭ５００は、光スプリッタ４００から入力されたＷＤＭ信号の光パワーを、トランスミッター２１０−２６０から出力された光信号の周波数グリッドよりも十分小さな周波数間隔で連続的・周期的に測定する。本実施形態に係るＯＣＭ５００は、トランスミッター２１０−２６０の周波数グリッド（５０ＧＨｚグリッド、３７．５ＧＨｚグリッド、２５ＧＨｚグリッド）に対して、ＷＤＭ信号の光パワーを５ＧＨｚステップでサンプリング測定する。本実施形態に係るＯＣＭ５００の測定ステップを図４に示す。
【００２３】
図４において、ＯＣＭ５００は、測定帯域１９３．５２５ＴＨｚ〜１９２．９７５ＴＨｚについて、入力されたＷＤＭ信号の光パワーを５ＧＨｚ単位で測定する。具体的には、ＯＣＭ５００は、まず、１９３．５２５ＴＨｚ〜１９３．５２０ＴＨｚのＷＤＭ信号の光パワーを測定し、続いて１９３．５２０ＴＨｚ〜１９３．５１５ＴＨｚのＷＤＭ信号の光パワーを測定し、順次、１９２．９７５ＴＨｚまで５ＧＨｚごとのＷＤＭ信号の光パワーを測定する。ＯＣＭ５００は、５ＧＨｚごとのＷＤＭ信号の光パワーの測定結果（以下、光パワー測定値と記載する。）をＣＰＵ６００へ出力する。
【００２４】
なお、光信号の有無をさらに細かく検出したい場合は５ＧＨｚステップよりも小さいステップで測定することもできる。一方、測定数を減らしたい場合は、例えば、１０ＧＨｚステップ等にするこができ、後述する各エリア内で３個以上の光パワー測定値が取得できる程度にステップを大きくすることができる。
【００２５】
ＣＰＵ６００は、トランスミッター２１０−２６０において生成された光信号がＷＤＭ信号に含まれているか否か判定し、含まれていない場合はダミー光を挿入する。ここで、ＣＰＵ６００は、光信号の測定帯域１９３．５２５ＴＨｚ〜１９２．９７５ＴＨｚを、ＷＤＭ信号へ挿入されるダミー光の平均グリッドごとに分割することで、同一帯域幅を有する複数のエリアを設定する。本実施形態では、後述するダミー光源７００が５０ＧＨｚグリッドのダミー光を出力することから、ＣＰＵ６００は、測定帯域１９３．５２５ＴＨｚ〜１９２．９７５ＴＨｚを長周波数側から５０ＧＨｚずつ分割し、１１個のエリア１−１１を設定する。設定されたエリア１−１１を図５に示す。ＣＰＵ６００は、エリア１−１１ごとに閾値１−１１を保持し、ＯＣＭ５００から入力された光パワー測定値を対応する閾値と比較することで、ダミー信号の挿入の要否を判定する。図５に閾値の一例を点線で示す。本実施形態においては、エリア４−６とエリア７−１１では閾値に同じ値を設定した。
【００２６】
そして、本実施形態に係るＣＰＵ６００は、エリア１（１９３．５２５ＴＨｚ〜１９３．４７５ＴＨｚ）内の５ＧＨｚステップの１０個の光パワー測定値をそれぞれ、エリア１に設定されている閾値１と比較する。そして、ＣＰＵ６００は、エリア１内の１０個の光パワー測定値が１つでも閾値１以上である場合、エリア１へのダミー光の挿入は不要であると判定する。この場合、ＣＰＵ６００は、例えば、後述するダミー光源７００のスイッチ７４１をＯＦＦすることで、エリア１に対応するダミー光の出力を遮断する。一方、ＣＰＵ６００は、エリア１内の１０個の光パワー測定値が全て閾値１より小さい場合、エリア１へのダミー光の挿入が必要であると判定する。この場合、ＣＰＵ６００は、ダミー光源７００のスイッチ７４１をＯＮすることで、エリア１に対応するダミー光をＷＤＭ信号に挿入させる。
【００２７】
ダミー光源７００は、各エリア１−１１に対応するダミー光を生成して出力する。ダミー光源７００の回路構成図の一例を図６に示す。図６のダミー光源７００は、光アンプ７１０、光分波器７２０、１１本の出力用導波路７３１−７３１１およびスイッチ７４１−７４１１によって構成される。光アンプ７１０において増幅された自然放出（ＡＳＥ：Ａｍｐｌｉｆｉｅｄ  Ｓｐｏｎｔａｎｅｏｕｓ  Ｅｍｉｓｓｉｏｎ）光は、光分波器７２０においてエリア１−１１に対応する帯域のダミー光に分波され、それぞれ出力用導波路７３１−７３１１へ出力される。出力用導波路７３１−７３１１にはそれぞれスイッチ７４１−７４１１が配置され、該スイッチがＣＰＵ６００によって制御されることで、スイッチがＯＮされた出力用導波路に入力されたダミー光が光カプラ８００に出力される。ここで、光分波器７２０としてＡＷＧモジュール等を適用することができる。
【００２８】
全てのスイッチ７４１−７４１１がＣＰＵ６００によってＯＮされた時に、光カプラ８００に入力されるダミー光のパワースペクトルを図７に示す。図７に示すように、本実施形態では、中心周波数が５０ＧＨｚグリッド上（１９３．５００ＴＨｚ、１９３．４５０ＴＨｚ、・・・１９３．０００ＴＨｚ）にある、５０ＧＨｚの帯域幅の矩形波のダミー光が光カプラ８００に入力される。
【００２９】
光カプラ８００は、光スプリッタ４００から入力されたＷＤＭ信号と、ダミー光源７００から入力されたダミー光とを合波し、送信信号として出力する。トランスミッター２１０−２６０から出力された光信号の一部が消失した場合に該消失した光信号のエリアに対応するダミー光が合波されることにより、波長多重伝送装置１００から出力される送信信号のトータルパワーが略一定に維持される。なお、光カプラ８００の合波比は、ＷＤＭ信号側とダミー光側とで１：１程度に設定することが望ましい。
【００３０】
次に、トランスミッター２４０、２５０からの光信号が消失した場合の波長多重伝送装置１００の動作について、図８および図９を用いて説明する。ここで、図８は波長多重伝送装置１００の動作フロー、図９は光カプラ８００から出力される送信信号のパワースペクトルである。
【００３１】
図８において、波長多重伝送装置１００の光波長多重部３００は、トランスミッター２１０−２６０から入力された光信号を波長多重し、ＷＤＭ信号を出力する（Ｓ１０１）。ここで、トランスミッター２４０、２５０からの光信号が消失した場合、ＷＤＭ信号には、トランスミッター２１０−２３０、２６０から出力された光信号のみが波長多重される。光波長多重部３００から出力されたＷＤＭ信号のパワースペクトルを、図９にドットで示す。
【００３２】
光波長多重部３００から出力されたＷＤＭ信号は、光スプリッタ４００において９：１程度に分割され、前者が光カプラ８００に、後者がＯＣＭ５００に出力される（Ｓ１０２）。
【００３３】
ＯＣＭ５００は、光スプリッタ４００から入力されたＷＤＭ信号の光パワーを５ＧＨｚステップで連続的、且つ、周期的に測定し、光パワー測定値をＣＰＵ６００に出力する（Ｓ１０３）。
【００３４】
ＣＰＵ６００は、エリア１−１１ごとに、ＯＣＭ５００から入力された光パワー測定値を対応する閾値１−１１と比較する（Ｓ１０４）。そして、ＣＰＵ６００は、エリアｉ内の１０個の光パワー測定値が対応する閾値ｉより全て小さい場合（Ｓ１０４のＹｅｓ）、当該エリアｉへのダミー光の挿入が必要であると判定し、当該エリアｉに対応するダミー光源７００のスイッチ７４ｉをＯＮする（Ｓ１０５）。一方、光パワー測定値が１つでも対応する閾値ｉ以上である場合（Ｓ１０４のＮｏ）、当該エリアｉへのダミー光の挿入は不要であると判定し、当該エリアｉに対応するダミー光源７００のスイッチ７４ｉをＯＦＦする（Ｓ１０６）。
【００３５】
具体的には、トランスミッター２４０、２５０からの光信号が消失した場合、ＣＰＵ６００は、エリア１内の１０個の光パワー測定値のうちのいくつかが閾値１よりも大きいことから、エリア１へのダミー光の挿入は不要であると判定する。この場合、ＣＰＵ６００は、ダミー光源７００のエリア１に対応するスイッチ７４１をＯＦＦする。同様に、ＣＰＵ６００は、エリア２、３に対応するスイッチ７４２、７４３をＯＦＦする。
【００３６】
一方、ＣＰＵ６００は、エリア４内の１０個の光パワー測定値が閾値４より全て小さいことから、エリア４へのダミー光の挿入が必要であると判定する。そして、ＣＰＵ６００は、ダミー光源７００のエリア４に対応するスイッチ７４４をＯＮする。これにより、エリア４に対応する帯域のダミー光が、ダミー光源７００から光カプラ８００へ出力される。図９において、ダミー光源７００から光カプラ８００へ出力されたダミー光のパワースペクトルを斜線で示す。
【００３７】
ＣＰＵ６００はさらに、エリア５内の１０個の光パワー測定値を閾値５と比較する。エリア５内には、消失したトランスミッター２５０からの光信号の他にトランスミッター２６０からの光信号の一部も含まれることから、エリア５内の１０個の光パワー測定値のうちのいくつかは閾値５よりも大きくなる。この場合、ＣＰＵ６００は、エリア５へのダミー光の挿入は不要であると判定し、エリア５に対応するスイッチ７４５をＯＦＦする。以下、ＣＰＵ６００は、エリア６−１１について同様の動作（ダミー光の挿入または遮断）を行う。すなわち、ＣＰＵ６００は、エリア６に対応するスイッチ７４６をＯＦＦし、エリア７−１１に対応するスイッチ７４７−７４１１をＯＮする。
【００３８】
光カプラ８００は、光スプリッタ４００から入力されたＷＤＭ信号と、ダミー光源７００から入力されたダミー光とを合波し、図９に示す送信信号を出力する（Ｓ１０７）。
【００３９】
上記のように、本実施形態に係る波長多重伝送装置１００は、ダミー光の平均グリッドに応じた複数のエリアを設定し、該エリア内を細分化した帯域幅で光波長多重部３００から出力されたＷＤＭ信号の光パワーを計測する。そして、エリア内の全ての計測値が閾値よりも小さい場合は該エリアに対応する帯域のダミー光を送信信号に挿入し、エリア内において１つでも測定値が閾値以上である場合は該エリアに対応する帯域のダミー光を遮断する。これにより、光波長多重部３００から出力されたＷＤＭ信号に様々な周波数グリッドの光信号が含まれている場合でも、ダミー光の挿入の要否を的確に判断し、波長多重伝送装置１００から出力される送信信号のトータルパワーを精度よく補正することができる。
【００４０】
ここで、本実施形態においては、ダミー光源７００は、中心周波数が５０ＧＨｚグリッド上にある５０ＧＨｚの帯域幅の矩形波のダミー光（図７）を生成したがこれに限定されない。エリア内において所定の光パワーを有していれば良く、例えば、図１０に示すようなダミー光を適用することもできる。図１０において、各矩形波のダミー光の光パワー（面積）は共に、トランスミッターから出力される光信号の光パワー（面積）と同等になるように設定される。
【００４１】
なお、ダミー光の挿入に制限がある等の場合は、必ずしもダミー光の光パワーと光信号の光パワーを同等にする必要はない。例えば、光信号の両隣の帯域をガードバンドとして、ダミー光の挿入が禁止されている場合、ダミー光のパワーを光信号のパワーより若干増加させることにより、送信信号のトータルパワーを一定にすることができる。
【００４２】
そして、本実施形態においては、エリア１−１１の帯域をダミー光の平均グリッドと一致させて一定（５０ＧＨｚ）としたが、図１０に示すようなダミー光を適用する場合、ダミー光とエリアとが関係付けできれば、各エリアの帯域幅を任意に設定したり、エリアの中心周波数とダミー光の中心周波数とを別々の値に設定したりすることもできる。また、ダミー光とエリアとの対応づけは１対１に限定されず、例えば、１つのダミー光に２つのエリアを対応づけることもできる。
【００４３】
さらに、本実施形態においては、エリア５内にトランスミッター２５０からの光信号とトランスミッター２６０からの光信号とが含まれることから、トランスミッター２５０からの光信号が消失した場合でも、エリア５内へのダミー光の挿入を遮断した。しかし、例えば、閾値５よりも大きい閾値５’を設定し、閾値５以上の光パワー測定値が２個以下の場合、該２個の光パワー測定値と閾値５’とをさらに比較し、光パワー測定値が２個とも閾値５’よりも小さい場合はエリア５にダミー光を挿入する等でも良い。
【００４４】
以上、上述した実施形態を模範的な例として本発明を説明した。しかしながら、本発明は、上述した実施形態には限定されない。即ち、本発明は、本発明のスコープ内において、当業者が理解し得る様々な態様を適用することができる。
【００４５】
この出願は、２０１５年３月４日に出願された日本出願特願２０１５−０４２５３５を基礎とする優先権を主張し、その開示の全てをここに取り込む。
【符号の説明】
【００４６】
１０    光信号監視装置
２０    記憶手段
３０    計測手段
４０    判定手段
１００    波長多重伝送装置
２１０−２６０    トランスミッター
３００    光波長多重部
４００    光スプリッタ
５００    ＯＣＭ
６００    ＣＰＵ
７００    ダミー光源
７１０    光アンプ
７２０    光分波器
７３１−７３１１    出力用導波路
７４１−７４１１    スイッチ
８００    光カプラ
【図１Ａ】
2016139933.tif 000003
【図１Ｂ】
2016139933.tif 000004
【図２】
2016139933.tif 000005
【図３】
2016139933.tif 000006
【図４】
2016139933.tif 000007
【図５】
2016139933.tif 000008
【図６】
2016139933.tif 000009
【図７】
2016139933.tif 000010
【図８】
2016139933.tif 000011
【図９】
2016139933.tif 000012
【図１０】
2016139933.tif 000013
【図１１Ａ】
2016139933.tif 000014
【図１１Ｂ】
2016139933.tif 000015
【国際調査報告】
2016139933.tif 000016
2016139933.tif 000017
2016139933.tif 000018
2016139933.tif 000019